(57)【特許請求の範囲】
【請求項１】
空調対象室内に冷却空気を吹き出す吹出口、空調対象室内の空気を吸い込む吸込口、気化用空気により揮発性液体を気化させるときの気化熱で冷却対象空気を冷却する間接気化冷却手段、外気を取り込む外気取入口、及び、前記間接気化冷却手段から排出された気化用空気を屋外に排出する排気口が設けられ、
前記間接気化冷却手段が、気化用空気を通風させると共にその気化用空気の通風により気化可能な状態で揮発性液体が供給される気化用流路と冷却対象空気を通風させる冷却用流路とを熱交換可能に備えて構成され、
冷却対象空気を前記冷却用流路を通風させて冷却空気として前記吹出口に送出する給気ファン、及び、気化用空気を前記気化用流路を通風させて前記排気口に送出する排気ファンが設けられ、
前記給気ファンを前記外気取入口に吸込作用させて、外気を冷却対象空気として前記冷却用流路を通風させる外気取入冷房モードと、前記給気ファンを前記吸込口に吸込作用させて前記空調対象室内の空気を冷却対象空気として前記冷却用流路を通風させる室内気循環冷房モードとに運転モードを択一的に設定可能な運転モード切換手段が設けられ、
前記運転モード切換手段が、前記室内気循環冷房モードにおいて、前記排気ファンを前記外気取入口に吸込作用させて外気を気化用空気として前記気化用流路を通風させるように構成されている間接気化冷却式の冷房システム。
【請求項２】
前記空調対象室として、第１空調対象室と第２空調対象室とが対象にされ、
前記吹出口として、前記第１空調対象室に対応する第１吹出口、及び、前記第２空調対象室に対応する第２吹出口が設けられ、前記吸込口として、第１空調対象室に対応する第１吸込口、及び、前記第２空調対象室に対応する第２吸込口が設けられ、
前記給気ファンの通風作用により前記冷却用流路から送出された冷却空気を前記第１吹出口に送出する状態と前記第２吹出口に送出する状態とに切り換え自在な吹出口切換手段が設けられ、
前記運転モード切換手段が、前記外気取入冷房モードとしての、前記排気ファンを前記第１吸込口に吸込作用させて前記第１空調対象室内の空気を気化用空気として前記気化用流路を通風させる第１室内気放出式の外気取入冷房モード、及び、前記排気ファンを前記第２吸込口に吸込作用させて前記第２空調対象室内の空気を気化用空気として前記気化用流路を通風させる第２室内気放出式の外気取入冷房モード、並びに、前記室内気循環冷房モードとしての、前記給気ファンを前記第１吸込口に吸込作用させて前記第１空調対象室内の空気を冷却対象空気として前記冷却用流路を通風させ且つ前記排気ファンを前記外気取入口に吸込作用させて外気を気化用空気として前記気化用流路を通風させる外気放出式の第１室内気循環冷房モードと、前記給気ファンを前記第２吸込口に吸込作用させて前記第２空調対象室内の空気を冷却対象空気として前記冷却用流路を通風させ且つ前記排気ファンを前記外気取入口に吸込作用させて外気を気化用空気として前記気化用流路を通風させる外気放出式の第２室内気循環冷房モードの４種の運転モードを択一的に設定可能なように構成されている請求項１に記載の間接気化冷却式の冷房システム。
【請求項３】
前記運転モード切換手段が、前記室内気循環冷房モードとしての、前記給気ファンを前記第１吸込口に吸込作用させて前記第１空調対象室内の空気を冷却対象空気として前記冷却用流路を通風させ且つ前記排気ファンを前記第２吸込口に吸込作用させて前記第２空調対象室内の空気を気化用空気として前記気化用流路を通風させる第２室内気放出式の第１室内気循環冷房モードと、前記給気ファンを前記第２吸込口に吸込作用させて前記第２空調対象室内の空気を冷却対象空気として前記冷却用流路を通風させ且つ前記排気ファンを前記第１吸込口に吸込作用させて前記第１空調対象室内の空気を気化用空気として前記気化用流路を通風させる第１室内気放出式の第２室内気循環冷房モードとの２種の運転モードを加えた６種の運転モードを択一的に設定可能なように構成されている請求項２に記載の間接気化冷却式の冷房システム。
【請求項４】
前記外気取入口から取り込む外気の温度を検出する外気温度検出手段、前記第１空調対象室内の温度を検出する第１室温度検出手段、前記第２空調対象室内の温度を検出する第２室温度検出手段が設けられ、
運転を制御する制御手段が、前記外気温度検出手段、前記第１室温度検出手段及び前記第２室温度検出手段夫々の検出情報に基づいて、外気、前記第１空調対象室内の空気及び前記第２空調対象室内の空気のうちで温度が最低の空気を冷却対象空気とする運転モードに設定すべく、前記運転モード切換手段の作動を制御するように構成されている請求項２又は３に記載の間接気化冷却式の冷房システム。
【請求項５】
前記外気取入口から取り込む外気の湿度を検出する外気湿度検出手段、前記第１空調対象室内の湿度を検出する第１室湿度検出手段、前記第２空調対象室内の湿度を検出する第２室湿度検出手段が設けられ、
前記制御手段が、外気、前記第１空調対象室内の空気及び前記第２空調対象室内の空気のうちで温度が最低の空気を冷却対象空気とする運転モードが複数種ある場合は、前記外気湿度検出手段、前記第１室湿度検出手段及び前記第２室湿度検出手段夫々の検出情報に基づいて、外気、前記第１空調対象室内の空気及び前記第２空調対象室内の空気において温度が最低の空気を除いたうちで、湿度が最低の空気を気化用空気とする運転モードに設定すべく、前記運転モード切換手段の作動を制御するように構成されている請求項４に記載の間接気化冷却式の冷房システム。
【請求項６】
前記第１吸込口から吸い込んだ空気を前記第１吹出口から吹き出すように通風作用する循環ファン、及び、当該循環ファンにより通風される空気を加熱する暖房用加熱手段が設けられ、
前記制御手段が、前記循環ファンを作動させると共に、前記暖房用加熱手段を加熱作動させる暖房運転モードを実行可能なように構成されている請求項２〜５のいずれか１項に記載の間接気化冷却式の冷房システム。
【発明の詳細な説明】
【技術分野】
【０００１】
本発明は、気化用空気により揮発性液体を気化させるときの気化熱で冷却対象空気を冷却する間接気化冷却手段を備えた間接気化冷却式の冷房システムに関する。
【背景技術】
【０００２】
かかる間接気化冷却式の冷房システムは、間接気化冷却手段にて冷却対象空気を冷却して生成された冷却空気を空調対象室に供給して、空調対象室を冷房するものである。
このような間接気化冷却手段は、気化用空気を通風させると共にその気化用空気の通風により気化可能な状態で揮発性液体が供給される気化用流路と冷却対象空気を通風させる冷却用流路とを熱交換可能に備えて構成される。又、冷却対象空気を冷却用流路を通して通風させて冷却空気として送出する給気ファン、及び、気化用空気を気化用流路を通して通風させる排気ファンが設けられる（例えば、特許文献１、２参照。）。
【０００３】
従来、このような間接気化冷却手段を用いた冷房システムにおいては、上記の特許文献１、２には記載されていないが、給気ファンは、屋外の空気、即ち、外気を吸い込んで冷却対象空気として間接気化冷却手段の冷却用流路を通風させて空調対象室に送出する形態で通風作用させるように設けられ、排気ファンは、空調対象室内の空気を吸い込んで気化用空気として間接気化冷却手段の気化用流路を通風させて屋外に送出する形態で通風作用するように設けられていた。
ちなみに、本願では、「気化」は「蒸発」と同義で使用し、「気化熱」は「蒸発熱」を意味する。
【先行技術文献】
【特許文献】
【０００４】
【特許文献１】特開２００８−１０１８９０号公報
【特許文献２】特開２００２−２０６８３４号公報
【発明の概要】
【発明が解決しようとする課題】
【０００５】
しかしながら、従来の間接気化冷却式の冷房システムでは、外気を冷却対象空気とするので、夏季等、外気温度が高い時期では、冷却対象空気の温度が高いため、空調対象室を冷房するのに適応した低温の冷却空気を得ることができない場合があった。
従って、間接気化冷却式の冷房システムの冷房能力を向上する上で、改善の余地があった。
【０００６】
本発明は、かかる実情に鑑みてなされたものであり、その目的は、冷房能力を向上し得る間接気化冷却式の冷房システムを提供することにある。
【課題を解決するための手段】
【０００７】
本発明に係る間接気化冷却式の冷房システムの第１特徴構成は、
空調対象室内に冷却空気を吹き出す吹出口、空調対象室内の空気を吸い込む吸込口、気化用空気により揮発性液体を気化させるときの気化熱で冷却対象空気を冷却する間接気化冷却手段、外気を取り込む外気取入口、及び、前記間接気化冷却手段から排出された気化用空気を屋外に排出する排気口が設けられ、
前記間接気化冷却手段が、気化用空気を通風させると共にその気化用空気の通風により気化可能な状態で揮発性液体が供給される気化用流路と冷却対象空気を通風させる冷却用流路とを熱交換可能に備えて構成され、
冷却対象空気を前記冷却用流路を通風させて冷却空気として前記吹出口に送出する給気ファン、及び、気化用空気を前記気化用流路を通風させて前記排気口に送出する排気ファンが設けられ、
前記給気ファンを前記外気取入口に吸込作用させて、外気を冷却対象空気として前記冷却用流路を通風させる外気取入冷房モードと、前記給気ファンを前記吸込口に吸込作用させて前記空調対象室内の空気を冷却対象空気として前記冷却用流路を通風させる室内気循環冷房モードとに運転モードを択一的に設定可能な運転モード切換手段が設けられ、
前記運転モード切換手段が、前記室内気循環冷房モードにおいて、前記排気ファンを前記外気取入口に吸込作用させて外気を気化用空気として前記気化用流路を通風させるように構成されている点にある。
【０００８】
上記特徴構成によれば、外気よりも空調対象室内の空気の方が温度が低い場合は、運転モード切換手段により運転モードを室内気循環冷房モードに設定し、一方、空調対象室内の空気よりも外気の方が温度が低い場合は、運転モード切換手段により運転モードを外気取入冷房モードに設定して運転することができる。
例えば、夏季の日中等、外気よりも空調対象室内の空気の方が温度が低いときは、室内気循環冷房モードに設定して運転する。一方、例えば、夏季の夜間や早朝等、空調対象室の空気よりも外気の方が温度が低いときは、外気取入冷房モードに設定して運転する。
つまり、外気と空調対象室内の空気で、温度が低い方の空気を冷却対象空気として運転することができるので、空調対象室を冷房するのに適応した低温の冷却空気を得ることができる。
従って、冷房能力を向上し得る間接気化冷却式の冷房システムを提供することができるようになった。
【０００９】
第２特徴構成は、上記第１特徴構成に加えて、
前記空調対象室として、第１空調対象室と第２空調対象室とが対象にされ、
前記吹出口として、前記第１空調対象室に対応する第１吹出口、及び、前記第２空調対象室に対応する第２吹出口が設けられ、前記吸込口として、第１空調対象室に対応する第１吸込口、及び、前記第２空調対象室に対応する第２吸込口が設けられ、
前記給気ファンの通風作用により前記冷却用流路から送出された冷却空気を前記第１吹出口に送出する状態と前記第２吹出口に送出する状態とに切り換え自在な吹出口切換手段が設けられ、
前記運転モード切換手段が、前記外気取入冷房モードとしての、前記排気ファンを前記第１吸込口に吸込作用させて前記第１空調対象室内の空気を気化用空気として前記気化用流路を通風させる第１室内気放出式の外気取入冷房モード、及び、前記排気ファンを前記第２吸込口に吸込作用させて前記第２空調対象室内の空気を気化用空気として前記気化用流路を通風させる第２室内気放出式の外気取入冷房モード、並びに、前記室内気循環冷房モードとしての、前記給気ファンを前記第１吸込口に吸込作用させて前記第１空調対象室内の空気を冷却対象空気として前記冷却用流路を通風させ且つ前記排気ファンを前記外気取入口に吸込作用させて外気を気化用空気として前記気化用流路を通風させる外気放出式の第１室内気循環冷房モードと、前記給気ファンを前記第２吸込口に吸込作用させて前記第２空調対象室内の空気を冷却対象空気として前記冷却用流路を通風させ且つ前記排気ファンを前記外気取入口に吸込作用させて外気を気化用空気として前記気化用流路を通風させる外気放出式の第２室内気循環冷房モードの４種の運転モードを択一的に設定可能なように構成されている点にある。
【００１０】
上記特徴構成によれば、外気、第１空調対象室内の空気、第２空調対象室内の空気のうちで、第１空調対象室内の空気の温度が最低の場合は、運転モード切換手段により外気放出式の第１室内気循環冷房モードに設定し、第２空調対象室内の空気の温度が最低の場合は、運転モード切換手段により外気放出式の第２室内気循環冷房モードに設定し、外気の温度が最低の場合は、運転モード切換手段により第１室内気放出式の外気取入冷房モードか第２室内気放出式の外気取入冷房モードのいずれかに設定して運転することができる。
又、外気取入冷房モードでも気化用空気の温度が高いほど、又は、湿度が低いほど、揮発性液体の気化を促進させて、冷却対象空気を冷却する能力を向上することができる。
そこで、外気、第１空調対象室内の空気、第２空調対象室内の空気のうちで外気の温度が最低の場合は、第１空調対象室内の空気と第２空調対象室内の空気とを比較して、第１空調対象室内の空気の方が温度が高い又は湿度が低い場合は、運転モード切換手段により第１室内気放出式の外気取入冷房モードに設定して運転し、一方、第２空調対象室内の空気の方が温度が高い又は湿度が低い場合は、運転モード切換手段により第２室内気放出式の外気取入冷房モードに設定して運転することができる。
従って、冷却対象空気として用いる空気を外気、第１空調対象室内の空気及び第２空調対象室内の空気の３種の空気から選ぶことができて、より一層温度が低い空気を冷却対象空気として用いて運転することができるので、冷房能力をより一層向上することができる。
【００１１】
第３特徴構成は、上記第２特徴構成に加えて、
前記運転モード切換手段が、前記室内気循環冷房モードとしての、前記給気ファンを前記第１吸込口に吸込作用させて前記第１空調対象室内の空気を冷却対象空気として前記冷却用流路を通風させ且つ前記排気ファンを前記第２吸込口に吸込作用させて前記第２空調対象室内の空気を気化用空気として前記気化用流路を通風させる第２室内気放出式の第１室内気循環冷房モードと、前記給気ファンを前記第２吸込口に吸込作用させて前記第２空調対象室内の空気を冷却対象空気として前記冷却用流路を通風させ且つ前記排気ファンを前記第１吸込口に吸込作用させて前記第１空調対象室内の空気を気化用空気として前記気化用流路を通風させる第１室内気放出式の第２室内気循環冷房モードとの２種の運転モードを加えた６種の運転モードを択一的に設定可能なように構成されている点にある。
【００１２】
上記特徴構成によれば、外気、第１空調対象室内の空気、第２空調対象室内の空気のうちで、第１空調対象室内の空気の温度が最低の場合は、更に、外気と第２空調対象室内の空気とを比較して、外気の方が温度が高い又は湿度が低い場合は、運転モード切換手段により運転モードを外気放出式の第１室内気循環冷房モードに設定し、一方、第２空調対象室内の空気の方が温度が高い又は湿度が低い場合は、運転モード切換手段により運転モードを第２室内気放出式の第１室内気循環冷房モードに設定することができる。
又、外気、第１空調対象室内の空気、第２空調対象室内の空気のうちで、第２空調対象室内の空気の温度が最低の場合は、更に、外気と第１空調対象室内の空気とを比較して、外気の方が温度が高い又は湿度が低い場合は、運転モード切換手段により運転モードを外気放出式の第２室内気循環冷房モードに設定し、一方、第１空調対象室内の空気の方が温度が高い又は湿度が低い場合は、運転モード切換手段により運転モードを第１室内気放出式の第２室内気循環冷房モードに設定する。
又、外気、第１空調対象室内の空気、第２空調対象室内の空気のうちで、外気の空気の温度が最低の場合は、更に、第１空調対象室の空気と第２空調対象室内の空気とを比較して、第１空調対象室の空気の方が温度が高い又は湿度が低い場合は、運転モード切換手段により運転モードを第１室内気放出式の外気取入冷房モードに設定し、一方、第２空調対象室内の空気の方が温度が高い又は湿度が低い場合は、運転モード切換手段により運転モードを第２室内気放出式の外気取入冷房モードに設定することができる。
【００１３】
つまり、冷却対象空気として用いる空気を外気、第１空調対象室内の空気及び第２空調対象室内の空気の３種の空気から選ぶことができ、更に、気化用空気として用いる空気を、外気、第１空調対象室内の空気及び第２空調対象室内の空気のうちの冷却対象空気として選んだ以外の２種の空気から選ぶことができることから、より一層温度が低い空気を冷却対象空気として用い、且つ、より一層温度が高い又は湿度が低い空気を気化用空気として用いて運転することができるのでので、冷房能力を更に向上することができる。
【００１４】
第４特徴構成は、上記第２又は第３特徴構成に加えて、
前記外気取入口から取り込む外気の温度を検出する外気温度検出手段、前記第１空調対象室内の温度を検出する第１室温度検出手段、前記第２空調対象室内の温度を検出する第２室温度検出手段が設けられ、
運転を制御する制御手段が、前記外気温度検出手段、前記第１室温度検出手段及び前記第２室温度検出手段夫々の検出情報に基づいて、外気、前記第１空調対象室内の空気及び前記第２空調対象室内の空気のうちで温度が最低の空気を冷却対象空気とする運転モードに設定すべく、前記運転モード切換手段の作動を制御するように構成されている点にある。
【００１５】
上記特徴構成によれば、外気、第１空調対象室内の空気及び第２空調対象室内の空気のうちで温度が最低の空気を冷却対象空気とする運転モードに自動的に設定されて、間接気化冷却手段を用いた冷房システムが運転される。
従って、使い勝手を向上しながら、冷房能力をより一層向上することができる。
【００１６】
第５特徴構成は、上記第４特徴構成に加えて、
前記外気取入口から取り込む外気の湿度を検出する外気湿度検出手段、前記第１空調対象室内の湿度を検出する第１室湿度検出手段、前記第２空調対象室内の湿度を検出する第２室湿度検出手段が設けられ、
前記制御手段が、外気、前記第１空調対象室内の空気及び前記第２空調対象室内の空気のうちで温度が最低の空気を冷却対象空気とする運転モードが複数種ある場合は、前記外気湿度検出手段、前記第１室湿度検出手段及び前記第２室湿度検出手段夫々の検出情報に基づいて、外気、前記第１空調対象室内の空気及び前記第２空調対象室内の空気において温度が最低の空気を除いたうちで、湿度が最低の空気を気化用空気とする運転モードに設定すべく、前記運転モード切換手段の作動を制御するように構成されている点にある。
【００１７】
上記特徴構成によれば、外気、第１空調対象室内の空気及び第２空調対象室内の空気のうちで温度が最低の空気を冷却対象空気とし、且つ、第１空調対象室内の空気及び第２空調対象室内の空気から冷却対象空気とする空気を除いたうちで湿度が最低の空気を気化用空気とする運転モードに自動的に設定されて、間接気化冷却手段を用いた冷房システムが運転される。
従って、使い勝手を向上しながら、冷房能力を更に向上することができる。
【００１８】
第６特徴構成は、上記第２〜第５特徴構成のいずれか１つに加えて、
前記第１吸込口から吸い込んだ空気を前記第１吹出口から吹き出すように通風作用する循環ファン、及び、当該循環ファンにより通風される空気を加熱する暖房用加熱手段が設けられ、
前記制御手段が、前記循環ファンを作動させると共に、前記暖房用加熱手段を加熱作動させる暖房運転モードを実行可能なように構成されている点にある。
【００１９】
即ち、暖房運転モードでは、循環ファンの通風作用により、第１空調対象室内の空気が第１吸込口から吸い込まれて暖房用加熱手段により加熱された後、第１吹出口から吹き出される形態で循環されるので、第１空調対象室が暖房される。
ところで、上述のような暖房機能を有する装置として、例えば、浴室暖房乾燥機が知られている。
そこで、例えば、このような浴室暖房乾燥機を用いて本発明を実施することにより、冷房機能に加えて暖房機能を備え、しかも、冷房能力を向上し得る間接気化冷却式の冷房システムを提供することができる。
【図面の簡単な説明】
【００２０】
【図１】間接気化冷却式の空調システムの全体構成及び第１室内気放出式の外気取入冷房モードでの空気の流れを示す図
【図２】間接気化冷却部の概略構成を示す斜視図
【図３】第２室内気放出式の外気取入冷房モードでの空気の流れを示す図
【図４】外気放出式の第１室内気循環冷房モードでの空気の流れを示す図
【図５】外気放出式の第２室内気循環冷房モードでの空気の流れを示す図
【図６】第２室内気放出式の第１室内気循環冷房モードでの空気の流れを示す図
【図７】第１室内気放出式の第２室内気循環冷房モードでの空気の流れを示す図
【図８】両室換気モードでの換気運転における空気の流れを示す図
【図９】両室暖房乾燥モードでの暖房乾燥運転における空気の流れを示す図
【図１０】運転モード切り換えの制御動作を説明する図
【図１１】制御動作のフローチャートを示す図
【発明を実施するための形態】
【００２１】
以下、図面に基づいて、本発明の実施の形態を説明する。
図１は、間接気化冷却式の冷房システムの一例の間接気化冷却式の空調システム（以下、単に空調システムと記載する場合がある）の全体構成を示す図であり、この空調システムは、空調対象室を冷房する機能に加えて、空調対象室を暖房する機能及び換気する機能も備えている。
この実施形態では、空調対象室として、第１空調対象室Ｒ１及び第２空調対象室Ｒ２の２室が対象にされている。
そして、この実施形態では、第１空調対象室Ｒ１の具体例として浴室を適用し、第２空調対象室Ｒ２の具体例として浴室に隣接する脱衣室を適用した場合について説明する。
【００２２】
図１に示すように、この空調システムは、気化用空気により揮発性液体としての水を気化させるときの気化熱で冷却対象空気を冷却する間接気化冷却部Ｃ（間接気化冷却手段に相当する）、第１空調対象室Ｒ１や第２空調対象室Ｒ２を暖房する暖房部Ｈ、冷却対象空気を間接気化冷却部Ｃを通風させて冷却して冷却空気として第１空調対象室Ｒ１や第２空調対象室Ｒ２に供給する給気ファン１、気化用空気を間接気化冷却部Ｃを通風させて排気として排気口４から屋外に排出する排気ファン２、この空調システムの運転を制御する制御部９（制御手段に相当する）、及び、その制御部９に各種制御情報を指令する操作部１０等を備えて構成されている。
【００２３】
図２に示すように、間接気化冷却部Ｃは、気化用空気をＡ１通風させると共にその気化用空気Ａ１の通風により気化可能な状態で揮発性液体としての水が供給される複数の気化用流路１１と冷却対象空気Ａ２を通風させる複数の冷却用流路１２とを互いに熱交換可能に交互に並ぶ状態で備えて構成されている。
又、間接気化冷却部Ｃには、詳細な図示を省略するが、複数の気化用流路１１全ての一端に連通するように、気化用流路１１の入口１１ｉ（図１参照）が設けられ、複数の気化用流路１１全ての他端に連通するように、気化用流路１１の出口１１ｅ（図１参照）が設けられ、更に、複数の冷却用流路１２全ての一端に連通するように、冷却用流路１２の入口１２ｉ（図１参照）が設けられ、複数の冷却用流路１２全ての他端に連通するように、冷却用流路１２の出口１２ｅ（図１参照）が設けられている。
【００２４】
更に、図１に示すように、間接気化冷却部Ｃには、複数の気化用流路１１へ水を供給する給水路１３と、その給水路１３を開閉して複数の気化用流路１１への水の供給を断続する給水断続弁１４とが備えられている。
気化用空気の通風により気化可能な状態で各気化用流路１１へ水を供給する構成は、公知の構成を用いるので、詳細な説明及び図示を省略して簡単に説明すると、例えば、各気化用流路１１へ噴霧手段により水を噴霧する構成を採用することができる。
あるいは、各気化用流路１１に、毛管現象により含水可能で且つ通気可能な含水体を設ける構成を採用することができる。
【００２５】
つまり、複数の気化用流路１１に水を供給しつつ気化用空気を通風させ、並びに、複数の冷却用流路１２に冷却対象空気を通風させると、複数の気化用流路１１では、夫々に隣接する冷却用流路１２から気化熱を奪取しながら水が気化され、複数の冷却用流路１２夫々を通流する冷却対象空気が冷却されて、冷却空気として第１空調対象室Ｒ１や第２空調対象室Ｒ２に供給される。
【００２６】
図１に示すように、空調システムには、間接気化冷却部Ｃから排出された気化用空気を屋外に排出するための前述した排気口４に加えて、外気を取り込む外気取入口３、第１空調対象室Ｒ１内に冷却空気を吹き出す第１吹出口５、第１空調対象室Ｒ１内の空気を吸い込む第１吸込口６、第２空調対象室Ｒ２内に冷却空気を吹き出す第２吹出口７、及び、第２空調対象室Ｒ２内の空気を吸い込む第２吸込口８が設けられている。
そして、給気ファン１は、そのファン吸込口１ｉが外気取入路１５を介して外気取入口３に連通接続され且つファン吐出口１ｅが間接気化冷却部Ｃの冷却用流路１２の入口１２ｉに連通接続されて、ファン吸込口１ｉから吸い込んだ外気を冷却対象空気として冷却用流路１２を通風させて冷却し、冷却空気として冷却用流路１２の出口１２ｅから送出するように設けられている。
又、排気ファン２は、そのファン吸込口２ｉが間接気化冷却部Ｃの気化用流路１１の出口１１ｅに連通接続され且つファン吐出口２ｅが排気路１６を介して排気口４に連通接続されて、排気ファン２を気化用流路１１の出口１１ｅに吸い込み作用させることにより、気化用空気を気化用流路１１を通風させて排気口４から排出するように設けられている。
【００２７】
更に、空調システムには、給気ファン１の通風作用により間接気化冷却部Ｃの冷却用流路１２の出口１２ｅから送出された冷却空気を第１吹出口５に送出する状態と第２吹出口７に送出する状態とに切り換え自在な吹出口切換手段としての吹出口切換三方ダンパ２０が設けられている。
具体的には、この吹出口切換三方ダンパ２０には、上流端が間接気化冷却部Ｃの冷却用流路１２の出口１２ｅに連通された冷却空気送出路１７の下流端、下流端が第１吹出口５に連通接続された第１分岐送出路１８の上流端、及び、下流端が第２吹出口７に連通接続された第２分岐送出路１９の上流端が接続されている。
ちなみに、この吹出口切換三方ダンパ２０は、冷却空気送出路１７を第１分岐送出路１８に連通させる第１吹出状態と、冷却空気送出路１７を第２分岐送出路１９に連通させる第２吹出状態と、冷却空気送出路１７を第１分岐送出路１８及び第２分岐送出路１９に連通させる両口吹出状態との３状態に択一的に切り換え自在に構成されている。
【００２８】
本発明では、給気ファン１を外気取入口３に吸込作用させて（即ち、給気ファン１のファン吸込口１ｉが外気取入口３に連通されて）、外気を冷却対象空気として間接気化冷却部Ｃの冷却用流路１２を通風させる外気取入冷房モードと、給気ファン１を第１吸込口６及び第２吸込口８のいずれか一方に吸込作用させて（即ち、給気ファン１のファン吸込口１ｉが第１吸込口６及び第２吸込口８のいずれか一方に連通されて）、第１空調対象室Ｒ１内及び第２空調対象室Ｒ２内のいずれか一方の空気を冷却対象空気として間接気化冷却部Ｃの冷却用流路１２に通風させる室内気循環冷房モードとに冷房運転モードを択一的に設定可能な運転モード切換手段Ｖが設けられている。
【００２９】
この実施形態では、運転モード切換手段Ｖが、外気取入冷房モードとしての、排気ファン２を第１吸込口６に吸込作用させて第１空調対象室Ｒ１内の空気を気化用空気として気化用流路１１を通風させる第１室内気放出式の外気取入冷房モード、及び、排気ファン２を第２吸込口８に吸込作用させて第２空調対象室Ｒ２内の空気を気化用空気として気化用流路１１を通風させる第２室内気放出式の外気取入冷房モード、並びに、室内気循環冷房モードとしての、給気ファン１を第１吸込口６に吸込作用させて第１空調対象室Ｒ１内の空気を冷却対象空気として冷却用流路１２を通風させ且つ排気ファン２を外気取入口３に吸込作用させて外気を気化用空気として気化用流路１１を通風させる外気放出式の第１室内気循環冷房モードと、給気ファン１を第２吸込口８に吸込作用させて第２空調対象室Ｒ２内の空気を冷却対象空気として冷却用流路１２を通風させ且つ排気ファン２を外気取入口３に吸込作用させて外気を気化用空気として気化用流路１１を通風させる外気放出式の第２室内気循環冷房モードの４種の運転モードを択一的に設定可能なように構成されている。
【００３０】
更に、この実施形態では、運転モード切換手段Ｖが、室内気循環冷房モードとしての、給気ファン１を第１吸込口６に吸込作用させて第１空調対象室Ｒ１内の空気を冷却対象空気として冷却用流路１２を通風させ且つ且つ排気ファン２を第２吸込口８に吸込作用させて第２空調対象室Ｒ２内の空気を気化用空気として気化用流路１１を通風させる第２室内気放出式の第１室内気循環冷房モードと、給気ファン１を第２吸込口８に吸込作用させて第２空調対象室Ｒ２内の空気を冷却対象空気として冷却用流路１２を通風させ且つ且つ排気ファン２を第１吸込口６に吸込作用させて第１空調対象室Ｒ１内の空気を気化用空気として気化用流路１１を通風させる第１室内気放出式の第２室内気循環冷房モードとの２種の運転モードを加えた６種の運転モードを択一的に設定可能なように構成されている。
【００３１】
図１に基づいて、運転モード切換手段Ｖについて説明を加えると、上流端が第１吸込口６に連通接続された第１吸込支流路２１の下流端、上流端が第２吸込口８に連通接続された第２吸込支流路２２の下流端、及び、下流端が間接気化冷却部Ｃの気化用流路１１の入口１１ｉに連通接続された吸込路２３の上流端が主吸込口切換三方ダンパ２４を介して接続されている。
又、上流端が第１吸込支流路２１の中間に連通接続された第１吸込分岐路２５の下流端、上流端が第２吸込支流路２２の中間に連通接続された第２吸込分岐路２６の下流端、及び、下流端が吸込路２３の中間に連通接続された副吸込路２７の上流端が副吸込口切換三方ダンパ２８を介して接続されている。
【００３２】
又、給気路１５の途中に、外気用途切換三方ダンパ２９がその２つのポートを用いて介装され、その外気用途切換三方ダンパ２９の残りのポートに下流端が連通接続された外気用途切換路３０の上流端が、吸込路２３の中間に連通接続されている。
吸込路２３における副吸込路２７の接続箇所及び外気用途切換路３０の接続箇所よりも上流端側（主吸込口切換三方ダンパ２４側）の流路部分に、室内気用途切換三方ダンパ３１がその２つのポートを用いて介装され、その室内気用途切換用三方ダンパ３１の残りのポートに上流端が連通接続された室内気用途切換路３２の下流端が、外気取入路１５における外気用途切換三方ダンパ２９の介装箇所よりも下流端側（給気ファン１側）の流路部分に連通接続されている。
【００３３】
暖房部Ｈは、公知の浴室暖房乾燥機を用いて構成されているので、詳細な説明及び図示を省略して、簡単に説明する。
暖房部Ｈは、下方が略全体にわたって開口した箱状のケーシング３３内に、各種機器を装備して構成され、本体ケーシング３３の下部に、第１吸込口６及び第１吹出口５を備えたグリル３４が着脱自在に備えられている。
【００３４】
第１吸込分岐路２５における第１吸込口６側の部分、及び、第１分岐送出路１８における第１吹出口５側の部分は、ケーシング３３内を通過するように設けられている。
ケーシング３３内には、第１吸込分岐路２５と第１分岐送出路１８とを連通接続する循環路３５、第１吸込口６から吸い込んだ第１空調対象室Ｒ１内の空気を循環路３５を通して通風させて第１吹出口５から送出するように通風作用する循環ファン３６、及び、循環路３５を通風される空気を加熱する暖房用加熱手段（図示省略）が設けられている。更に、循環路３５を遮断可能な循環遮断ダンパ３７も設けられている。暖房用加熱手段は、例えば、熱源機から加熱された熱媒が循環供給される熱交換器にて構成される。
そして、上述のように構成された暖房部Ｈは、グリル３４にて空調対象室Ｒ１の天井の一部を形成する状態で、空調対象室Ｒ１の天井裏に配設される。
【００３５】
尚、図１、図３〜図９の各図では、吹出口切換三方ダンパ２０、主吸込口切換三方ダンパ２４、副吸込口切換三方ダンパ２８、外気用途切換三方ダンパ２９及び室内気用途切換三方ダンパ３１の各三方ダンパにおいて、開き状態のポートを黒塗りで示し、閉じ状態のポートを白抜き状態で示す。又、給水断続弁１４や循環遮断ダンパ３７において、開き状態を黒塗りで示し、閉じ状態を白抜きで示す。
【００３６】
主吸込口切換三方ダンパ２４は、図１、図３及び図８等に示すように、第１吸込支流路２１を吸込路２３に連通させる第１吸込状態（図１参照）、第２吸込支流路２２を吸込路２３に連通させる第２吸込状態（図３参照）、及び、第１吸込支流路２１と第２吸込支流路２２とを吸込路２３に連通させる両口吸込状態（図８参照）の３状態に択一的に切り換え自在に構成されている。
副吸込口切換三方ダンパ２８は、図１、図６及び図７等に示すように、第１吸込分岐路２５を副吸込路２７に連通させる第１吸込状態（図７参照）、第２吸込分岐路２６を副吸込路２７に連通させる第２吸込状態（図６参照）、及び、第１吸込分岐路２５と第２吸込分岐路２６と副吸込路２７とを遮断する遮断状態（図１参照）の３状態に択一的に切り換え自在に構成されている。
【００３７】
外気用途切換三方ダンパ２９は、図１、図４及び図６等に示すように、外気取入路１５の外気取入口３に連通接続される上流側部分と給気ファン１の吸込口１ｉに連通接続される下流側部分とを連通させる外気給気状態（図１参照）、外気取入路１５の上流側部分と外気用途切換路３０とを連通させる外気放出状態（図４参照）、及び、外気取入口３の上流側部分と下流側部分と外気用途切換路３０との連通を遮断する遮断状態（図６参照）との３状態に択一的に切り換え自在に構成されている。
室内気用途切換三方ダンパ３１は、図１及び図４等に示すように、吸込路２３の主吸込口切換三方ダンパ２４に連通接続される上流側部分と間接気化冷却部Ｃの気化用流路１１の入口１１ｉに連通接続される下流側部分とを連通させる室内気放出状態と（図１参照）、吸込路２３の上流側部分と室内気用途切換路３２とを連通させる室内気循環状態（図４参照）との２状態に切り換え自在に構成されている。
【００３８】
次に、図１〜図７及び図１０に基づいて、上記の６種の運転モードのいずれか一つを設定するための、上記の主吸込口切換三方ダンパ２４、副吸込口切換三方ダンパ２８、外気用途切換三方ダンパ２９及び室内気用途切換三方ダンパ３１の各三方ダンパの作動状態を説明する。
図１及び図１０に示すように、主吸込口切換三方ダンパ２４を第１吸込状態に、室内気用途切換三方ダンパ３１を室内気放出状態に、副吸込口切換三方ダンパ２８を遮断状態に、外気用途切換三方ダンパ２９を外気給気状態に夫々切り換えると、給気ファン１のファン吸込口１ｉが外気取入口３に連通され（即ち、給気ファン１を外気取入口３に吸込作用させ）、且つ、気化用流路１１の入口１１ｉが第１吸込口６に連通される（即ち、排気ファン２を第１吸込口６に吸込作用させる）第１室内気放出式の外気取入冷房モードに切り換えられる。
図１に示すように、この第１室内気放出式の外気取入冷房モードでは、排気ファン２の通風作用により、第１空調対象室Ｒ１内の空気ＲＡが気化用空気として間接気化冷却部Ｃの気化用流路１１を通流し、排気ＥＡとして排気口４から排出され、並びに、給気ファン１の通風作用により、外気ＯＡが冷却対象空気として間接気化冷却部Ｃの冷却用流路１２を通流して冷却され、冷却空気ＳＡとして第１空調対象室Ｒ１、第２空調対象室Ｒ２、又は、第１空調対象室Ｒ１及び第２空調対象室Ｒ２の両室に供給される。尚、冷却空気ＳＡの供給先、即ち、第１空調対象室Ｒ１、第２空調対象室Ｒ２、又は、第１空調対象室Ｒ１及び第２空調対象室Ｒ２の両室の切り換えは、吹出口切換三方ダンパ２０を第１吹出状態、第２吹出状態、両口吹出状態のいずれかに作動することにより行われ、以下の説明でも同様である。
【００３９】
又、図３及び図１０に示すように、主吸込口切換三方ダンパ２４を第２吸込状態に、室内気用途切換三方ダンパ３１を室内気放出状態に、副吸込口切換三方ダンパ２８を遮断状態に、外気用途切換三方ダンパ２９を外気給気状態に夫々切り換えると、給気ファン１のファン吸込口１ｉが外気取入口３に連通され（即ち、給気ファン１を外気取入口３に吸込作用させ）、且つ、気化用流路１１の入口１１ｉが第２吸込口８に連通される（即ち、排気ファン２を第２吸込口８に吸込作用させる）第２室内気放出式の外気取入冷房モードに切り換えられる。
図３に示すように、この第２室内気放出式の外気取入冷房モードでの空気の通風状態は、第２空調対象室Ｒ２内の空気ＲＡが気化用空気として間接気化冷却部Ｃの気化用流路１１を通流する以外は、上記の第１室内気放出式の外気取入冷房モードと同様であるので、説明を省略する。
【００４０】
又、図４及び図１０に示すように、主吸込口切換三方ダンパ２４を第１吸込状態に、室内気用途切換三方ダンパ３１を室内気循環状態に、副吸込口切換三方ダンパ２８を遮断状態に、外気用途切換三方ダンパ２９を外気放出状態に夫々切り換えると、給気ファン１のファン吸込口１ｉが第１吸込口６に連通され（即ち、給気ファン１を第１吸込口６に吸込作用させ）且つ気化用流路１１の入口１１ｉが外気取入口３に連通される（即ち、排気ファン２を外気取入口３に吸込作用させる）外気放出式の第１室内気循環冷房モードに切り換えられる。
図４に示すように、この外気放出式の第１室内気循環冷房モードでは、排気ファン２の通風作用により、外気ＯＡが気化用空気として間接気化冷却部Ｃの気化用流路１１を通流し、排気ＥＡとして排気口４から排出され、並びに、給気ファン１の通風作用により、第１空調対象室Ｒ１内の空気ＲＡが冷却対象空気として間接気化冷却部Ｃの冷却用流路１２を通流して冷却され、冷却空気ＳＡとして第１空調対象室Ｒ１、第２空調対象室Ｒ２、又は、第１空調対象室Ｒ１及び第２空調対象室Ｒ２の両室に供給される。
【００４１】
又、図５及び図１０に示すように、主吸込口切換三方ダンパ２４を第２吸込状態に、室内気用途切換三方ダンパ３１を室内気循環状態に、副吸込口切換三方ダンパ２８を遮断状態に、外気用途切換三方ダンパ２９を外気放出状態に夫々切り換えると、給気ファン１のファン吸込口１ｉが第２吸込口８に連通され（即ち、給気ファン１を第２吸込口８に吸込作用させ）且つ気化用流路１１の入口１１ｉが外気取入口３に連通される（即ち、排気ファン２を外気取入口３に吸込作用させる）外気放出式の第２室内気循環冷房モードに切り換えられる。
図５に示すように、この外気放出式の第２室内気循環冷房モードでの空気の通風状態は、給気ファン１の通風作用により、第２空調対象室Ｒ２内の空気ＲＡが冷却対象空気として間接気化冷却部Ｃの冷却用流路１２を通流する以外は、上記の外気放出式の第１室内気循環冷房モードと同様であるので、説明を省略する。
【００４２】
又、図６及び図１０に示すように、主吸込口切換三方ダンパ２４を第１吸込状態に、室内気用途切換三方ダンパ３１を室内気循環状態に、副吸込口切換三方ダンパ２８を第２吸込状態に、外気用途切換三方ダンパ２９を遮断状態に夫々切り換えると、給気ファン１のファン吸込口１ｉが第１吸込口６に連通され（即ち、給気ファン１を第１吸込口６に吸込作用させ）且つ気化用流路１１の入口１１ｉが第２吸込口８に連通される（即ち、排気ファン２を第２吸込口８に吸込作用させる）第２室内気放出式の第１室内気循環冷房モードに切り換えられる。
図６に示すように、この第２室内気放出式の第１室内気循環冷房モードでは、排気ファン２の通風作用により、第２空調対象室Ｒ２内の空気ＲＡが気化用空気として間接気化冷却部Ｃの気化用流路１１を通流し、排気ＥＡとして排気口４から排出され、並びに、給気ファン１の通風作用により、第１空調対象室Ｒ１内の空気ＲＡが冷却対象空気として間接気化冷却部Ｃの冷却用流路１２を通流して冷却され、冷却空気ＳＡとして第１空調対象室Ｒ１、第２空調対象室Ｒ２、又は、第１空調対象室Ｒ１及び第２空調対象室Ｒ２の両室に供給される。
【００４３】
又、図７及び図１０に示すように、主吸込口切換三方ダンパ２４を第２吸込状態に、室内気用途切換三方ダンパ３１を室内気循環状態に、副吸込口切換三方ダンパ２８を第１吸込状態に、外気用途切換三方ダンパ２９を遮断状態に夫々切り換えると、給気ファン１のファン吸込口１ｉが第２吸込口８に連通され（即ち、給気ファン１を第２吸込口８に吸込作用させ）且つ気化用流路１１の入口１１ｉが第１吸込口６に連通される（即ち、排気ファン２を第１吸込口６に吸込作用させる）第１室内気放出式の第２室内気循環冷房モード切り換えられる。
図７に示すように、この第１室内気放出式の第２室内気循環冷房モードでは、排気ファン２の通風作用により、第１空調対象室Ｒ１内の空気ＲＡが気化用空気として間接気化冷却部Ｃの気化用流路１１を通流し、排気ＥＡとして排気口４から排出され、並びに、給気ファン１の通風作用により、第２空調対象室Ｒ２内の空気ＲＡが冷却対象空気として間接気化冷却部Ｃの冷却用流路１２を通流して冷却され、冷却空気ＳＡとして第１空調対象室Ｒ１、第２空調対象室Ｒ２、又は、第１空調対象室Ｒ１及び第２空調対象室Ｒ２の両室に供給される。
【００４４】
つまり、運転モード切換手段Ｖが、主吸込口切換三方ダンパ２４、吸込路２３、第１吸込支流路２１、第２吸込支流路２２、副吸込路２７、第１吸込分岐路２５、第２吸込分岐路２６、副吸込口切換三方ダンパ２８、外気取入路１５、外気用途切換三方ダンパ２９、外気用途切換路３０、室内気用途切換三方ダンパ３１、及び、室内気用途切換路３２を用いて構成されている。
【００４５】
図１に示すように、この空調システムには、更に、外気取入口３から取り込む外気の温度（以下、外気温度と記載する場合がある）Ｔｏを検出する外気温度センサ４１(外気温度検出手段に相当する)、第１空調対象室Ｒ１内の温度（以下、第１室温度と記載する場合がある）Ｔ１を検出する第１室温度センサ４２（第１室温度検出手段に相当する）、及び、第２空調対象室Ｒ２内の温度（以下、第２室温度と記載する場合がある）Ｔ２を検出する第２室温度センサ４３（第２室温度検出手段に相当する）が設けられている。
更に、外気取入口３から取り込む外気の相対湿度（以下、外気湿度と記載する場合がある）Ｈｏを検出する外気湿度センサ４４（外気湿度検出手段に相当する）、第１空調対象室Ｒ１内の相対湿度（以下、第１室湿度と記載する場合がある）Ｈ１を検出する第１室湿度センサ４５（第１室湿度検出手段に相当する）、及び、第２空調対象室Ｒ２内の相対湿度（以下、第２室湿度と記載する場合がある）Ｈ２を検出する第２室湿度センサ４６（第２室湿度検出手段に相当する）が設けられている。
【００４６】
次に、制御部９の制御動作について説明する。
操作部１０には、図示を省略するが、第１室通常冷房運転、第１室入浴中冷房運転、第２室通常冷房運転、第２室入浴後冷房運転、両室通常冷房運転、換気運転、暖房乾燥運転及び暖房運転の８種の運転を択一的に選択する運転切換スイッチが設けられ、制御部９は、その運転切換スイッチにて設定された運転を実行するように構成されている。
ちなみに、第１室入浴中冷房運転は、第１空調対象室Ｒ１（本実施形態では、浴室）を入浴で使用するときに冷房する運転であり、第１室通常冷房運転は、第１空調対象室Ｒ１を入浴で使用するとき以外に冷房する運転である。
第２室入浴後冷房運転は、第１空調対象室Ｒ１を入浴で使用した直後に第２空調対象室Ｒ２（本実施形態では、脱衣室）を使用しているとき（所謂、湯上り使用時）に、第２空調対象室Ｒ２を冷房する運転であり、第２室通常冷房運転は、第２空調対象室Ｒ２を湯上りで使用するとき以外に、第２空調対象室Ｒ２を冷房する運転である。
【００４７】
換気運転は、第１空調対象室Ｒ１や第２空調対象室Ｒ２を換気する運転である。図示を省略するが、操作部１０には、第１空調対象室Ｒ１のみを換気する第１室換気モードと、第２空調対象室Ｒ２のみを換気する第２室換気モードと、第１空調対象室Ｒ１及び第２空調対象室Ｒ２を換気する両室換気モードとに、換気運転のモードを択一的に切り換える換気運転モード選択スイッチも設けられている。
暖房乾燥運転は、第１空調対象室Ｒ１内を暖房乾燥する運転である。図示を省略するが、操作部１０には、第１空調対象室Ｒ１のみを暖房乾燥する第１室暖房乾燥モードと、第２空調対象室Ｒ２を暖房しつつ第１空調対象室Ｒ１を暖房乾燥する両室暖房乾燥モードとに、暖房乾燥運転を択一的に切り換える暖房乾燥モード切り換えスイッチも設けられている。
暖房運転は、第１空調対象室Ｒ１を暖房する運転であり、図示を省略するが、操作部１０には、第１空調対象室Ｒ１のみを暖房する第１室暖房モードと、第１空調対象室Ｒ１及び第２空調対象室Ｒ２を暖房する両室暖房モードとに、暖房運転を択一的に切り換える暖房モード切り換えスイッチも設けられている。
【００４８】
以下、各運転における制御部９の制御動作について説明を加える。
尚、第１室通常冷房運転、第１室入浴中冷房運転、第２室通常冷房運転、第２室入浴後冷房運転及両室通常冷房運転のいずれの運転でも、給水断続弁１４を開くと共に、循環遮断ダンパ３７を閉じ、並びに、給気ファン１及び排気ファン２を作動させるので、各運転の制御動作の説明では、給水断続弁１４、循環遮断ダンパ３７、給気ファン１及び排気ファン２の制御の説明を省略する。
【００４９】
制御部９は、操作部１０の運転切換スイッチにより、第１室通常冷房運転、第２室通常冷房運転及び両室通常冷房運転のいずれかが指令されると、外気温度センサ４１、第１室温度センサ４２、第２室温度センサ４３にて夫々検出された外気温度Ｔｏ、第１室温度Ｔ１、第２室温度Ｔ２、並びに、外気湿度センサ４４、第１室湿度センサ４５、第２室湿度センサ４６にて夫々検出された外気湿度Ｈｏ、第１室湿度Ｈ１、第２室湿度Ｈ２に基づいて、第１室内気放出式の外気取入冷房モード、第２室内気放出式の外気取入冷房モード、外気放出式の第１室内気循環冷房モード、外気放出式の第２室内気循環冷房モード、第２室内気放出式の第１室内気循環冷房モード及び第１室内気放出式の第２室内気循環冷房モードの６種の冷房運転モードから１種の冷房運転モードを設定する通常運転モード設定処理を実行する。
【００５０】
そして、制御部９は、冷房運転モードを通常運転モード設定処理にて設定したモードに設定すべく、運転モード切換手段Ｖの作動を制御すると共に、第１室通常冷房運転が指令された場合は、吹出口切換三方ダンパ２０を第１吹出状態に切り換え、第２室通常冷房運転が指令された場合は、吹出口切換三方ダンパ２０を第２吹出状態に切り換え、両室通常冷房運転が指令された場合は、吹出口切換三方ダンパ２０を両口吹出状態に切り換える。
【００５１】
図１１に示すフローチャートに基づいて、制御部９の通常運転モード設定処理における制御動作を説明する。
先ず、ステップ＃１で、外気温度Ｔｏ、第１室温度Ｔ１及び第２室温度Ｔ２のうち最低はどれかを判定して、第２室温度Ｔ２が最低と判定した場合は、ステップ＃２で、第１室湿度Ｈ１と外気湿度Ｈｏで低い方はどちらかを判定して、第１室湿度Ｈ１の方が低い場合は、ステップ＃３で冷房運転モードを第１室内気放出式の第２室内気循環冷房モードに設定し、外気湿度Ｈｏの方が低い場合は、ステップ＃４で、冷房運転モードを外気放出式の第２室内気循環冷房モードに設定する。
【００５２】
又、ステップ＃１で第１室温度Ｔ１が最低と判定した場合は、ステップ＃５で、第２室湿度Ｈ２と外気湿度Ｈｏで低い方はどちらかを判定して、第２室湿度Ｈ２の方が低い場合は、ステップ＃６で冷房運転モードを第２室内気放出式の第１室内気循環冷房モードに設定し、外気湿度Ｈｏの方が低い場合は、ステップ＃７で、冷房運転モードを外気放出式の第１室内気循環冷房モードに設定する。
【００５３】
又、ステップ＃１で外気温度Ｔｏが最低と判定した場合は、ステップ＃８で、第１室湿度Ｈ１と第２室湿度Ｈ２で低い方はどちらかを判定して、第２室湿度Ｈ２の方が低い場合は、ステップ＃９で冷房運転モードを第２室内気放出式の外気取入冷房モードに設定し、第１室湿度Ｈ１の方が低い場合は、ステップ＃１０で、冷房運転モードを第１室内気放出式の外気取入冷房モードに設定する。
【００５４】
つまり、外気温度Ｔｏ、第１室温度Ｔ１及び第２室温度Ｔ２のうちで第２室温度Ｔ２が最低である、即ち、第１空調対象室Ｒ１内の空気ＲＡ、第２空調対象室Ｒ２内の空気ＲＡ及び外気ＯＡのうちで第２空調対象室Ｒ２内の空気ＲＡが最低の場合は、冷房運転モードとしては、第２空調対象室Ｒ２内の空気ＲＡを冷却対象空気として用いる第１室内気放出式の第２室内気循環冷房モードと外気放出式の第２室内気循環冷房モードとの２種が設定対象になる。更に、それら２種の冷房運転モードは、気化用空気として一方が第１空調対象室Ｒ１内の空気ＲＡを用い、他方が外気ＯＡを用いるものであるので、第１空調対象室Ｒ１内の空気ＲＡと外気ＯＡのうち相対湿度が低い方が気化用空気として用いられる冷房運転モード、例えば、第１空調対象室Ｒ１内の空気ＲＡの方が相対湿度が低い場合は、第１室内気放出式の第２室内気循環冷房モードが運転対象のモードとして設定される。
【００５５】
又、第１空調対象室Ｒ１内の空気ＲＡ、第２空調対象室Ｒ２内の空気ＲＡ及び外気ＯＡのうちで、温度が最低なのは第１空調対象室Ｒ１内の空気ＲＡの場合は、冷房運転モードとしては、第１空調対象室Ｒ１内の空気ＲＡを冷却対象空気として用いる第２室内気放出式の第１室内気循環冷房モードと外気放出式の第１室内気循環冷房モードとの２種が設定対象になる。更に、それら２種の冷房運転モードのうち、気化用空気として用いる空気の相対湿度が低い方の冷房運転モード、例えば、第２空調対象室Ｒ２内の空気ＲＡの方が相対湿度が低い場合は、第２室内気放出式の第１室内気循環冷房モードが運転対象のモードとして設定される。
【００５６】
又、第１空調対象室Ｒ１内の空気ＲＡ、第２空調対象室Ｒ２内の空気ＲＡ及び外気ＯＡのうちで、温度が最低なのは外気ＯＡの場合は、冷房運転モードとしては、外気ＯＡを冷却対象空気として用いる第２室内気放出式の外気取入冷房モードと第１室内気放出式の外気取入冷房モードとの２種が設定対象になる。更に、それら２種の冷房運転モードのうち、気化用空気として用いる空気の相対湿度が低い方の冷房運転モード、例えば、第２空調対象室Ｒ２内の空気ＲＡの方が相対湿度が低い場合は、第２室内気放出式の外気取入冷房モードが運転対象のモードとして設定される。
【００５７】
つまり、この実施形態では、制御部９が、外気温度センサ４１、第１室温センサ４２及び第２室温センサ４３夫々の検出情報に基づいて、外気ＯＡ、第１空調対象室Ｒ１内の空気ＲＡ及び第２空調対象室Ｒ２内の空気ＲＡのうちで温度が最低の空気を冷却対象空気とする冷房運転モードに設定すべく、運転モード切換手段Ｖの作動を制御するように構成されていることになる。
更に、制御部９が、外気ＯＡ、第１空調対象室Ｒ１内の空気ＲＡ及び第２空調対象室Ｒ２内の空気ＲＡのうちで温度が最低の空気を冷却対象空気とする冷房運転モードが複数種ある場合は、外気湿度センサ４４、第１室湿度センサ４５及び第２室湿度センサ４６夫々の検出情報に基づいて、外気ＯＡ、第１空調対象室Ｒ１内の空気ＲＡ及び第２空調対象室Ｒ２内の空気ＲＡにおいて温度が最低の空気を除いたうちで、相対湿度が最低の空気を気化用空気とする冷房運転モードに設定すべく、運転モード切換手段Ｖの作動を制御するように構成されていることになる。
【００５８】
制御部９は、操作部１０の運転切換スイッチにより、第２室入浴後冷房運転が指令されると、外気温度センサ４１にて検出された外気温度Ｔｏ、第２室温度センサ４３にて検出された第２室温度Ｔ２に基づいて、運転モードを外気放出式の第２室内気循環冷房モードと第２室内気放出式の外気取入冷房モードとのいずれかに設定する入浴後運転モード設定処理を実行する。
制御部９は、入浴後運転モード設定処理では、外気温度Ｔｏと第２室温度Ｔ２で、第２室温度Ｔ２の方が低い場合は、運転モードを外気放出式の第２室内気循環冷房モードに設定し、外気温度Ｔｏの方が低い場合は、運転モードを第２室内気放出式の外気取入冷房モードに設定する。
そして、制御部９は、冷房運転モードを入浴後運転モード設定処理にて設定したモードに設定すべく、運転モード切換手段Ｖの作動を制御すると共に、吹出口切換三方ダンパ２０を第２吹出状態に切り換える。
【００５９】
制御部９は、操作部１０の運転切換スイッチにより、第１室入浴中冷房運転が指令されると、外気温度センサ４１にて検出された外気温度Ｔｏ、第２室温度センサ４３にて検出された第２室温度Ｔ２に基づいて、運転モードを外気放出式の第２室内気循環冷房モードと第２室内気放出式の外気取入冷房モードとのいずれかに設定する入浴中運転モード設定処理を実行する。
制御部９は、入浴中運転モード設定処理では、外気温度Ｔｏと第２室温度Ｔ２で、第２室温度Ｔ２の方が低い場合は、運転モードを外気放出式の第２室内気循環冷房モードに設定し、外気温度Ｔｏの方が低い場合は、運転モードを第２室内気放出式の外気取入冷房モードに設定する。
そして、制御部９は、冷房運転モードを入浴中運転モード設定処理にて設定したモードに設定すべく、運転モード切換手段Ｖの作動を制御すると共に、吹出口切換三方ダンパ２０を第１吹出状態に切り換える。
【００６０】
つまり、第１空調対象室Ｒ１を入浴で使用している間やその直後は、第１空調対象室Ｒ１内の空気ＲＡは、高温高湿であるので、冷却対象空気や気化用空気としては適さない。
そこで、第１室入浴中冷房運転や第２室入浴後冷房運転の冷房運転モードとしては、冷却対象空気として第２空調対象室Ｒ２内の空気ＲＡや外気ＯＡを用いる外気放出式の第２室内気循環冷房モードや第２室内気放出式の外気取入冷房モードが設定対象となり、それらの運転モードのうちで、冷却対象空気として用いる空気の温度が低い方、例えば、第２空調対象室Ｒ２内の空気ＲＡの方が温度が低い場合は、外気放出式の第２室内気循環冷房モードが運転対象のモードとして設定される。
【００６１】
制御部９は、操作部１０の運転切換スイッチにより、換気運転が指令されると、図８及び図１０に示すように、室内気用途切換三方ダンパ３１を室内気放出状態に、外気用途切換三方ダンパ２９を外気給気状態に、副吸込口切換三方ダンパ２８を遮断状態に、給水断続弁１４を閉じ状態に、循環遮断ダンパ３７を閉じ状態に夫々切り換えると共に、給気ファン１及び排気ファン２を作動させる。
並びに、制御部９は、換気運転モード選択スイッチによる指令に基づき、指令された換気運転モードに設定すべく、主吸込口切換三方ダンパ２４及び吹出口切換三方ダンパ２０夫々の作動を制御する。例えば、両室換気モードが指令されている場合は、図８及び図１０に示すように、主吸込口切換三方ダンパ２４を両口吸込状態に、吹出口切換三方ダンパ２０を両口吹出状態に夫々切り換える。
【００６２】
例えば、両室換気モードにて換気運転が実行されると、図８に示すように、第１空調対象室Ｒ１及び第２空調対象室Ｒ２の両室の空気ＲＡが排気口４から排出されると共に、外気ＯＡが第１吹出口５及び第２吹出口７から送出されて、第１空調対象室Ｒ１及び第２空調対象室Ｒ２が換気される。
【００６３】
制御部９は、操作部１０の運転切換スイッチにより、暖房乾燥運転が指令されると、図９及び図１０に示すように、循環遮断ダンパ３７を開き状態に、主吸込口切換三方ダンパ２４を第１室吸込状態に、室内気用途切換三方ダンパ３１を室内気放出状態に、外気用途切換三方ダンパ２９を遮断状態に、副吸込口切換三方ダンパ２８を遮断状態に、給水断続弁１４を閉じ状態に夫々切り換え、循環ファン３６及び排気ファン２を作動させ、暖房用加熱手段を加熱作動させる。但し、排気ファン２は、その送風量が各種の冷房運転時や換気運転時よりも少なく、しかも、循環ファン３６の送風量よりも少なくなるように回転速度が調整される。
並びに、制御部９は、暖房乾燥モード切り換えスイッチにより、両室暖房乾燥モードが指令されている場合は、図９及び図１０に示すように、吹出口切換三方ダンパ２０を両口吹出状態に夫々切り換え、第１室暖房乾燥モードが指令されている場合は、図示を省略するが、吹出口切換三方ダンパ２０を第２室吹出状態に切り換える。
【００６４】
例えば、両室暖房乾燥モードにて暖房乾燥運転が実行されると、図９に示すように、第１空調対象室Ｒ１内の空気が第１吸込口６から吸い込まれて、その一部が排気口４から排気されつつ、残部が暖房加熱手段により加熱された後、第１吹出口５及び第２吹出口７から送出されることになり、第１空調対象室Ｒ１内の温度が上昇すると共に、相対湿度が低下し、並びに、第２空調対象室Ｒ２内の温度が上昇する。
【００６５】
暖房運転における制御動作は、主吸込口切換三方ダンパ２４を第２室吸込状態に切り換える以外は、上記の暖房乾燥運転時の制御動作と同様であるので、説明及び図示を省略する。
例えば、両室暖房モードにて暖房モードが実行されると、第１空調対象室Ｒ１内の空気が第１吸込口６から吸い込まれて、暖房加熱手段により加熱された後、第１吹出口５及び第２吹出口７から送出されることになり、第１空調対象室Ｒ１及び第２空調対象室Ｒ２両室内の温度が上昇する。
【００６６】
〔別実施形態〕
次に別実施形態を説明する。
（イ）  運転モード切換手段Ｖの具体構成は、上記の実施形態において例示した構成、即ち、第１室内気放出式の外気取入冷房モード、第２室内気放出式の外気取入冷房モード、外気放出式の第１室内気循環冷房モード、外気放出式の第２室内気循環冷房モード、第２室内気放出式の第１室内気循環冷房モード及び第１室内気放出式の第２室内気循環冷房モードの６種の冷房運転モードを択一的に設定自在な構成に限定されるものではない。
例えば、外気取入冷房モードとしての第１室内気放出式の外気取入冷房モード、室内気循環冷房モードとしての外気放出式の第２室内気循環冷房モードの２種の運転モードを択一的に設定可能に構成しても良い。
又、第１室内気放出式の外気取入冷房モード、第２室内気放出式の外気取入冷房モード、外気放出式の第１室内気循環冷房モード及び外気放出式の第２室内気循環冷房モードの４種の運転モードを択一的に設定可能に構成しても良い。
上記のいずれの別実施形態でも、運転モード切換手段Ｖは、上記の実施形態における副吸込口切換三方ダンパ２８、第１吸込分岐路２５、第２吸込分岐路２６及び副吸込路２７を省略して、主吸込口切換三方ダンパ２４、第１吸込支流路２１、第２吸込支流路２２、外気用途切換三方ダンパ２９、外気用途切換路３０、室内気用途切換三方ダンパ３１及び室内気用途切換路３２を用いて構成することができる。
【００６７】
（ロ）  上記の実施形態では、空調対象室として、第１空調対象室Ｒ１及び第２空調対象室Ｒ２の２室を対象にしたが、１室のみを対象にしても良い。
この場合、運転モード切換手段Ｖは、上記の実施形態における主吸込口切換三方ダンパ２４、第２吸込支流路２２、副吸込口切換三方ダンパ２８、第１吸込分岐路２５、第２吸込分岐路２６及び副吸込路２７を省略して、第１吸込支流路２１、外気用途切換三方ダンパ２９、外気用途切換路３０、室内気用途切換三方ダンパ３１及び室内気用途切換路３２を用いて構成することができる。
又、吹出口切換三方ダンパ２０も省略する。
【００６８】
（ハ）  上記の実施形態において、外気湿度センサ４４、第１室湿度センサ４５及び第２室湿度センサ４６を省略して、制御部９の制御動作において、それら外気湿度センサ４４、第１室湿度センサ４５及び第２室湿度センサ４６夫々の検出情報に基づいて運転モード選択する処理を省略しても良い。
この場合、外気、第１空調対象室Ｒ１内の空気及び第２空調対象室Ｒ２内の空気のうちで温度が最低の空気が給気ファン１のファン吸込口１ｉに吸い込まれる運転モードが複数種ある場合は、外気温度センサ４１、第１室温度センサ４２及び第２室温度センサ４３夫々の検出情報に基づいて、外気、第１空調対象室Ｒ１内の空気及び第２空調対象室Ｒ２内の空気において温度が最低の空気を除いたうちで、温度が最高の空気が気化用流路１１の入口１１ｉに吸い込まれる運転モードに設定するように構成しても良い。
この場合は、気化用空気として、高温の空気を用いることにより、間接気化冷却部Ｃの気化用流路１１における水の気化を促進することができるので、間接気化冷却部Ｃでの冷却対象空気の冷却能力を向上して、冷房能力を向上することができる。
【００６９】
（ニ）  第１空調対象室Ｒ１や第２空調対象室Ｒ２の具体例は、上記の実施形態において例示した例、即ち、第１空調対象室Ｒ１が浴室で、第２空調対象室Ｒ２が脱衣室の例に限定されるものではない。
【００７０】
（ホ）  給気ファン１や排気ファン２の設置形態は、上記の実施形態において例示した形態に限定されるものではない。例えば、給気ファン１の設置形態は、そのファン吸込口１ｉが間接気化冷却部Ｃの冷却用流路１２の出口１２ｅに連通接続され且つファン吐出口１ｅが冷却空気送出路１７の上流端に連通接続された形態でも良い。
又、排気ファン２の設置形態は、そのファン吸込口２ｉが吸込路２３の下流端に連通接続され且つファン吐出口２ｅが間接気化冷却部Ｃの気化用流路１１の入口１１ｉに連通接続された形態でも良い。
【００７１】
（ヘ）  上記の実施形態における暖房部Ｈを省略して、冷房機能及び換気機能を備えた間接気化冷却式の空調システムに構成しても良い。
【産業上の利用可能性】
【００７２】
以上説明したように、冷房能力を向上し得る間接気化冷却式の冷房システムを提供することができる。
【符号の説明】
【００７３】
１      給気ファン
２      排気ファン
３      外気取入口
４      排気口
５      第１吹出口、吹出口
６      第１吸込口、吸込口
７      第２吹出口、吹出口
８      第２吸込口、吸込口
９      制御部（制御手段）
１１    気化用流路
１２    冷却用流路
２０    吹出口切換三方ダンパ（吹出口切換手段）
３６    循環ファン
４１    外気温度センサ（外気温度検出手段）
４２    第１室温度センサ（第１室温度検出手段）
４３    第２室温度センサ（第２室温度検出手段）
４４    外気湿度センサ（外気湿度検出手段）
４５    第１室湿度センサ（第１室湿度検出手段）
４６    第２室湿度センサ（第２室湿度検出手段）
Ｃ      間接気化冷却部（間接気化冷却手段）
Ｒ１    第１空調対象室、空調対象室
Ｒ２    第２空調対象室、空調対象室
ＯＡ    外気
ＲＡ    第１空調対象室の空気、第２空調対象室の空気、空調室内の空気
Ｖ      運転モード切換手段
ＳＡ    冷却空気
【図１】
0005921221.tif 000002
【図２】
0005921221.tif 000003
【図３】
0005921221.tif 000004
【図４】
0005921221.tif 000005
【図５】
0005921221.tif 000006
【図６】
0005921221.tif 000007
【図７】
0005921221.tif 000008
【図８】
0005921221.tif 000009
【図９】
0005921221.tif 000010
【図１０】
0005921221.tif 000011
【図１１】
0005921221.tif 000012